(57)【要約】【課題】ＩＣチップホルダの落下時や他の物品へ衝突した場合に、衝撃を緩和できるＩＣチップホルダを提供する。【解決手段】ＩＣチップホルダ４０では、上部筐体４１は、ＩＣチップ７０の電気接点７１，７２，７３側において、上部筐体４１の内側へ向かって弾性変形可能な弾性変形部６０を備えている。従って、弾性変形部６０の突起６２が上部筐体４１の内側へ向かって弾性変形するので、ＩＣチップホルダ４０の落下時や他の物品へ衝突した場合に、弾性変形部６０が撓んで衝撃を緩和できる。従って、ＩＣチップ７０が破損する可能性を低減できる。【選択図】  図５
2020123288.tif 000002
【特許請求の範囲】
【請求項１】
電気接点を備えたＩＣチップと、
前記ＩＣチップが載置された筐体とを備え、
前記筐体は、前記電気接点側において、前記筐体の内側へ向かって弾性変形可能な弾性変形部を備えたことを特徴とするＩＣチップホルダ。
【請求項２】
前記筐体は、
前記ＩＣチップが載置された側の表面と、
前記弾性変形部に設けられた突起とを備え、
前記突起が、前記表面よりも外側に突出していることを特徴とする請求項１に記載のＩＣチップホルダ。
【請求項３】
前記電気接点よりも前記筐体の中央側に前記突起が配置されていることを特徴とする請求項１又は２に記載のＩＣチップホルダ。
【請求項４】
前記弾性変形部は、前記筐体に片持ちで支持される基部を備え、
前記基部は、前記表面よりも内側に位置することを特徴とする請求項１〜３の何れかに記載のＩＣチップホルダ。
【請求項５】
前記基部の周囲の前記表面は、面部であることを特徴とする請求項４に記載のＩＣチップホルダ。
【請求項６】
前記基部には、前記表面と段差が設けられていることを特徴とする請求項４又は５に記載のＩＣチップホルダ。
【請求項７】
前記弾性変形部において、前記突起と前記基部との間に、前記突起と同方向に突出する第二突起が設けられていることを特徴とする請求項４〜６の何れかに記載のＩＣチップホルダ。
【請求項８】
前記筐体は、複数の部品から構成され、
前記筐体を構成する１つの部品が、前記弾性変形部を備えた一体の部品であることを特徴とする請求項１〜７のいずれかに記載のＩＣチップホルダ。
【請求項９】
前記弾性変形部より内側に空間が設けられ、
前記空間の少なくとも一部が、前記表面に囲まれていることを特徴とする請求項４〜７のいずれかに記載のＩＣチップホルダ。
【請求項１０】
前記筐体の表面より低い位置に、前記ＩＣチップの前記電気接点が設けられていることを特徴とする請求項１〜９のいずれかに記載のＩＣチップホルダ。
【請求項１１】
前記ＩＣチップが配置された側において、前記筐体の表面よりも前記弾性変形部の突起が最も前記筐体の外周方向に突出していることを特徴とする請求項１〜１０のいずれかに記載のＩＣチップホルダ。
【請求項１２】
前記ＩＣチップは、インクに関する情報を記憶することを特徴とする請求項１〜１１のいずれかに記載のＩＣチップホルダ。
【請求項１３】
前記ＩＣチップホルダは、プリンタに着脱可能であることを特徴とする請求項１〜１２のいずれかに記載のＩＣチップホルダ。
【発明の詳細な説明】
【技術分野】
【０００１】
本発明は、ＩＣチップが載置されたＩＣチップホルダに関する。
【背景技術】
【０００２】
１つの面が開放された筐体内に、ＲＯＭ等の記憶素子を含む回路基板を収納したメモリカートリッジが知られている（例えば、特許文献１参照）。該メモリカートリッジでは、筐体の側壁内面に係止突起が形成され、該係止突起と係合する弾性変形可能な爪片が回路基板に設けられ、筐体内に回路基板が固定されている。また、筐体内に収納された回路基板とジャック部とが相互の接触部を嵌合するコネクターが知られている（例えば、特許文献２参照）。該コネクターでは、回路基板を収納した筐体の側面の固定アームの爪が、ジャック部の穴に内側から係合して、回路基板とジャック部とが安定した接触状態を保つようになっている。
【先行技術文献】
【特許文献】
【０００３】
【特許文献１】実開昭６０−７０９９９号公報
【特許文献２】実開昭５５−８７６８３号公報
【発明の概要】
【発明が解決しようとする課題】
【０００４】
しかしながら、上記従来のメモリカートリッジ及びコネクターにおいては、落下時や他の物品へ衝突した場合に、衝撃が緩和されずに回路基板が破損する可能性があった。
【０００５】
本発明の目的は、ＩＣチップホルダの落下時や他の物品へ衝突した場合に、衝撃を緩和できるＩＣチップホルダを提供することである。
【課題を解決するための手段】
【０００６】
本発明の第一態様に係るＩＣチップホルダは、電気接点を備えたＩＣチップと、前記ＩＣチップが載置された筐体とを備え、前記筐体は、前記電気接点側において、前記筐体の内側へ向かって弾性変形可能な弾性変形部を備えている。この場合、弾性変形部の突起が筐体の内側へ向かって弾性変形するので、ＩＣチップホルダの落下時や他の物品へ衝突した場合に、弾性変形部が撓んで衝撃を緩和できる。従って、ＩＣチップが破損する可能性を低減できる。
【０００７】
また、前記筐体は、前記ＩＣチップが載置された側の表面と、前記弾性変形部に設けられた突起とを備え、前記突起が、前記表面よりも外側に突出していてもよい。この場合、弾性変形部の突起が筐体の表面よりも先に他の物品に当接するので、ＩＣチップホルダの落下時や他の物品へ衝突した場合に、弾性変形部が撓んで衝撃を緩和できる。従って、ＩＣチップが破損する可能性を低減できる。
【０００８】
また、前記電気接点よりも前記筐体の中央側に前記突起が配置されていてもよい。この場合、突起が筐体の重心近くに配置でき、ＩＣチップホルダの落下時や他の物品へ衝突した場合に、衝撃を緩和できる。
【０００９】
また、前記弾性変形部は、前記筐体に片持ちで支持される基部を備え、前記基部は、前記表面よりも内側に位置してもよい。この場合、弾性変形部の基部は表面よりも内側に位置するので、片持ちの弾性変形部の基部が衝撃を受ける可能性を低減することができる。従って、弾性変形部の基部が筐体の表面と同じ高さの場合に比べて、弾性変形部の弾性変形が正常に機能する可能性を維持できる。
【００１０】
また、前記基部の周囲の前記表面は、面部であってもよい。この場合、面部により、弾性変形部の基部への衝撃を緩和することができる。
【００１１】
また、前記基部には、前記表面と段差が設けられていてもよい。この場合、段差に指がかけられて弾性変形部が弾性変形させられることにより、ＩＣチップの電気接点に指が触れる可能性を低減できる。
【００１２】
また、前記弾性変形部において、前記突起と前記基部との間に、前記突起と同方向に突出する第二突起が設けられていてもよい。この場合、第二突起に指がかけられて弾性変形部が弾性変形させられることにより、ＩＣチップの電気接点に指が触れる可能性を低減できる。
【００１３】
また、前記筐体は、複数の部品から構成され、前記筐体を構成する１つの部品が、前記弾性変形部を備えた一体の部品であってもよい。この場合、弾性変形部を筐体に別体で設ける場合に比べて、弾性変形部の固定忘れ等防止できる。
【００１４】
また、前記弾性変形部より内側に空間が設けられ、前記空間の少なくとも一部が、前記表面に囲まれていてもよい。この場合、弾性変形部が弾性変形する空間に弾性変形を妨げる異物が侵入する可能性を低減できる。
【００１５】
また、前記筐体の表面より低い位置に、前記ＩＣチップの前記電気接点が設けられていてもよい。この場合、ＩＣチップの電気接点に指が触れる可能性を低減できる。
【００１６】
また、前記ＩＣチップが配置された側において、前記筐体の表面よりも前記弾性変形部の突起が最も前記筐体の外周方向に突出していてもよい。この場合、弾性変形部の突起が筐体の表面よりも先に他の物品に当接するので、ＩＣチップホルダの落下時や他の物品へ衝突した場合に、弾性変形部が撓んで衝撃を緩和できる。従って、ＩＣチップが破損する可能性を低減できる。
【００１７】
また、前記ＩＣチップは、インクに関する情報を記憶してもよい。この場合、前記ＩＣチップは、インクに関する情報を記憶するので、ＩＣチップが破損してインクに関する情報を失う可能性を低減できる。
【００１８】
また、前記ＩＣチップホルダは、プリンタに着脱可能であってもよい。この場合、ＩＣチップホルダをプリンタに着脱する際に落下しても、ＩＣチップが破損する可能性を低減できる。
【図面の簡単な説明】
【００１９】
【図１】プリンタ１の斜視図である。
【図２】チップライタ２０の斜視図である。
【図３】チップライタ２０底面側の斜視図である。
【図４】図２のＡ−Ａ線における矢視方向断面図である。
【図５】ＩＣチップホルダ４０の斜視図である。
【図６】ＩＣチップホルダ４０の平面図である。
【図７】ＩＣチップホルダ４０の底面側から見た斜視図である。
【図８】ＩＣチップホルダ４０の左側面図である。
【図９】ＩＣチップホルダ４０の右側面図である。
【図１０】ＩＣチップホルダ４０の背面図である。
【図１１】ＩＣチップホルダ４０の正面図である。
【図１２】ＩＣチップホルダ４０の底面図である。
【図１３】図６のＢ−Ｂ線における矢視方向断面図である。
【図１４】図６のＣ−Ｃ線における矢視方向断面図である。
【図１５】ＩＣチップホルダ４０の斜視図である。
【図１６】変形例の断面図である。
【発明を実施するための形態】
【００２０】
本発明の実施の形態について、図面を参照して説明する。まず、図１を参照して、プリンタ１の概略構成について説明する。なお、図１の上方、下方、左下方、右上方、右下方、および左上方が、各々、プリンタ１の上方、下方、前方、後方、右方、および左方である。
【００２１】
＜プリンタ１の構造＞
図１に示すように、プリンタ１は、印刷媒体（図示略）に対して、液体のインクを吐出することで印刷を行うインクジェットプリンタである。プリンタ１の印刷媒体は、主にＴシャツ等の布帛である。プリンタ１は、紙等を印刷媒体としてもよい。プリンタ１は、互いに異なる５種のインク（ホワイト（Ｗ）、ブラック（Ｋ）、イエロー（Ｙ）、シアン（Ｃ）、およびマゼンタ（Ｍ））を下方へ向けて吐出することで、印刷媒体にカラー画像を印刷できる。以下の説明では、５種のインクのうち、ホワイトのインクを白インクといい、ブラック、シアン、イエロー、およびマゼンタの４色のインクを総称する場合はカラーインクという。また、白インクとカラーインクとを総称する場合、またはいずれかを特定しない場合、単にインクという。
【００２２】
図１に示す如く、プリンタ１は、本体部２及びタンク装着ユニット３を備える。本体部２は、直方体形状の筐体４を備える。本体部２は、左右方向の中央に、プラテン６、トレイ８、及びプラテン駆動機構５を備える。プラテン駆動機構５は一対のガイドレール（図示略）を備える。一対のガイドレールは、プラテン駆動機構５の内側において前後方向に延び、プラテン６、及び、トレイ８を、前後方向に移動可能に支持する。プラテン駆動機構５は、後端部に設けられたモータ（図示略）を駆動源として、プラテン６、及び、トレイ８を一対のガイドレールに沿って前後方向に移動する。プラテン６は、筐体４の前後方向を長手方向とする平面視略長方形状の板状である。プラテン６は、上面にＴシャツ等の布帛からなる印刷媒体を保持する。トレイ８は、平面視矩形状であり、プラテン６の下方に設けられている。トレイ８は、ユーザがＴシャツ等をプラテン６に載置する際に、Ｔシャツのそで等を受けることで、そで等が筐体４の内部における他の部品に接触しないように保護する。
【００２３】
本体部２は前面右下部に操作部１４を備える。操作部１４は、様々な情報を表示するディスプレイ、及びプリンタ１の様々な動作に対する指示を入力するためのボタン等を有する。タンク装着ユニット３は、印刷ヘッド１３に液体を供給するタンク７を装着する部位である。タンク装着ユニット３は、本体部２の右側に設けられている。タンク装着ユニット３には、合計５本のタンク７が装着可能である。通常、５本のタンク７は、白インクのタンク７Ａ、シアンのタンク７Ｂ、マゼンタのタンク７Ｃ、イエローのタンク７Ｄ、及びブラックのタンク７Ｅのインクのタンクを含む。各タンク７には、インク残量センサ（図示略）が各々設けられている。本体部２は、内部に左右方向に移動して白インクを吐出する印字ヘッド（図示外）と、シアン、マゼンタ、イエロー、及びブラックのインクを吐出する印字ヘッド（図示外）とを備えている。
【００２４】
タンク装着ユニット３には、インクタンク制御部９が設けられている。インクタンク制御部９には、図示しないＣＰＵ、ＲＡＭ、及びＲＯＭ等からなる制御回路が設けられている。タンク装着ユニット３にはチップライタ２０が設けられている。チップライタ２０には、後述するＩＣチップホルダ４０が着脱可能である。ＩＣチップホルダ４０は、各タンク７にインクを補充する為のインク収容容器（図示略）に１つずつ個別に附属しており、使用者が何れかのタンク７にインクを補充する場合にチップライタ２０に挿入される。
【００２５】
＜チップライタ２０の構造＞
図２〜図４を参照して、チップライタ２０の構造を説明する。図２に示すように、チップライタ２０は略直方体形状の筐体２９を有する。筐体２９の前面には、長方体形状の前面板２１が設けられている。前面板２１には、横長の略矩形の開口２１Ａが形成されている。開口２１Ａには、ＩＣチップホルダ４０が挿入可能である。図４に示すように、開口２１Ａの内部には、後述するＩＣチップホルダ４０の弾性変形部６０の突起６２が係止される係止部２０Ｂが設けられている。図３に示すように、チップライタ２０はフレーム２２を備え、フレーム２２の右側には、ガイド部材２３が設けられ、フレーム２２の左側には、ガイド部材２４が設けられている。ガイド部材２３及びガイド部材２４により、ＩＣチップホルダ４０が案内される。ねじ２３Ａ、２４Ｂによって図示しない板材が、ガイド部材２３，２４にそれぞれ取り付けられている。フレーム２２には、軸２５が設けられている。軸２５には、ねじりばね２６が装着され、ねじりばね２６の一端部２６Ａがフレーム２２上の係止部２８に係止され、ねじりばね２６の他端部２６Ｂが挿入されたＩＣチップホルダ４０の後端部に当接する。従って、チップライタ２０に挿入されたＩＣチップホルダ４０は挿入方向と逆方向に付勢される。チップライタ２０は、挿入されたＩＣチップホルダ４０のＩＣチップ７０（図５及び図６参照）に、弾性体の板状の電気接点２７を介してインクに関する情報を書き込む。
【００２６】
＜ＩＣチップホルダ４０の構造＞
図５〜図１４を参照して、ＩＣチップホルダ４０の構造を説明する。ＩＣチップホルダ４０は、上部筐体４１と下部筐体４２とから構成され、角が面取りされた直方体形状である。上部筐体４１と下部筐体４２は、一例として、合成樹脂製である。ＩＣチップホルダ４０は、幅方向より前後方向が長く、幅方向より上下方向が短い。ＩＣチップホルダ４０は、表面４３、底面４４、前面４７、背面４８、左側面４５、及び右側面４６を備える。
【００２７】
表面４３は、上部筐体４１の最上面であり、前後方向に延び、図１０及び図１１に示すように、左右方向に湾曲している。図５及び図６に示すように、表面４３の前面４７寄りの中央部には、後述する底面４４に向かって凹んだ第一凹部４３１が形成されている。第一凹部４３１は、平面視、前後方向に長い略長方形である。また、第一凹部４３１の後端側から背面４８に向けて、第二凹部４３２が形成されている。第二凹部４３２は、平面視、前後方向に長い略長方形である。左右方向における第二凹部４３２の幅は、第一凹部４３１の幅よりも広い。また、第二凹部４３２内に第三凹部４３４が設けられている。第三凹部４３４は、平面視、前後方向に長い略長方形である。また、第三凹部４３４内に切り欠き部４３５が形成されている。切り欠き部４３５は、平面視、前後方向に長い略長方形である。切り欠き部４３５の後端側は、背面４８に達している。切り欠き部４３５には、ＩＣチップ７０が載置されている。
【００２８】
図６及び図１５に示すように、切り欠き部４３５のＩＣチップ７０よりも後側には、案内部４３７が設けられている。案内部４３７は、前側から後側に向かって下方に傾斜する面である傾斜部４３７Ａと、案内部４３７の後側を切り欠いた切り欠き部４３７Ｂとを有している。傾斜部４３７Ａと切り欠き部４３７Ｂは左右方向に交互に並んで配置されている。傾斜部４３７Ａは３か所設けられ、電気接点７１、７２、７３それぞれよりも後側に位置している。切り欠き部４３７Ｂでは上下方向に凹みが形成されている。傾斜部４３７Ａの後端部は切り欠き部４３７Ｂより高く、傾斜部４３７Ａと切り欠き４３７Ｂの間には垂直面がある。即ち、傾斜部４３７Ａはレールのような形状に形成されている。この溝は、ＩＣチップホルダ４０の挿入の際に、本体側の電極が配置された対応して設けられている。ＩＣチップホルダ４０の挿入の際に、傾斜部４３７Ａが電気接点７１、７２、７３より先にチップライタ２０の電気接点２７に接触して案内となる。傾斜部４３７Ａの案内によって、ＩＣチップホルダ４０の挿入が円滑にできる。
【００２９】
ＩＣチップ７０の上面側には、電気接点７１，７２，７３が設けられている。図１３及び図１４に示すように、ＩＣチップ７０の下面側には、ＩＣ７４が設けられている。電気接点７１，７２，７３はＩＣチップ７０内の回路に接続されている。ＩＣチップ７０は、インクに関する情報を記憶している。一例として、ＩＣチップ７０は、インクの色情報、タンク７のインクの残量等を記憶する。ＩＣチップ７０には、上下方向に貫通する貫通穴７８が形成されている。貫通穴７８の開口は、上下方向から見て、左右方向に伸展し、左右方向の端部が半円で、その半円を直線で結んだ形状である。この貫通穴７８には、底面４４の内面から上下方向に立設するピン４３８が挿通されており、製造時の下部筐体４２に対するＩＣチップ７０の位置決めに用いられる。ピン４３８の上端はＩＣチップ７０の上面と上下方向において同じか、或いは、下方であり、ピン４３８の上端はＩＣチップ７０から突出はしていない。切り欠き部４３５の左右方向の幅はＩＣチップ７０の左右方向の幅より狭く、ＩＣチップ７０は上部筐体４１と下部筐体４２とに挟まれている。貫通穴７８にはピン４３８が挿通されている。したがって、ＩＣチップ７０はＩＣチップホルダ４０から簡単には脱落しないように、ＩＣチップホルダ４０に取り付けられている。
【００３０】
図５、図６及び図１４に示すように、第一凹部４３１内には、弾性変形部６０が設けられている。弾性変形部６０は、基部６１、突起６２，第二突起６３を備える。基部６１は、平面視、前後方向に長い所定の厚みの長方形の板材である。基部６１は前端側が上部筐体４１の表面４３の裏側に接続されており、片持ちで支持されている。基部６１の上面は、表面４３と段差を有する。また、基部６１は、上部筐体４１と同じ合成樹脂製の板材である。従って、基部６１は弾性変形可能であるので、弾性変形部６０は弾性変形可能である。また、基部６１は、上部筐体４１の表面４３よりも内側（下側）に位置する。基部６１の後端部には、突起６２が設けられている。突起６２は基部６１の左右方向幅方向全体から上方に一定の高さで突出しており、突起６２の上面は、後端に向けて傾斜している。突起６２の上面は、一例として、表面４３よりも上方の外側に突出している。電気接点７１〜７３よりも上部筐体４１の中央側に突起６２は配置されている。また、図６及び図１４に示すように、弾性変形部６０より内側に空間４３６が設けられ、空間４３６の少なくとも一部が、表面４３に囲まれている。
【００３１】
また、基部６１の前後方向の中央の前端寄りには、第二突起６３が設けられている。第二突起６３は基部６１の左右方向幅方向から上方に一定の高さで突出している。従って、第二突起６３は突起６２と同方向に突出している。第二突起６３の上面は略水平であり、一例として、表面４３よりも上方の外側に僅かに突出している。
【００３２】
図７及び図１２に示すように、下部筐体４２の下側には、底面４４が形成されている。底面４４は平面視、前後方向に長い略長方形である。図１０、図１１及び図１３に示すように、底面４４は左右方向において湾曲している。底面４４には、前後方向に延びる一対のリブ４４１，４４２が形成されている。また、底面４４の背面４８側の左右には、係止穴４４５，４４６が設けられている。図１３に示すように、上部筐体４１の内部で下方に延びる係止爪４１１が係止穴４４５内で、下部筐体４２の被係止部４４８に係合する。同様に、係止爪４１２が係止穴４４６内で、下部筐体４２の被係止部４４９に係合する。また、底面４４の前面４７側の中央には、係止穴４４３が設けられている。図１４に示すように、上部筐体４１の内部で下方に延びる係止爪４１３が係止穴４４３内で、下部筐体４２の被係止部４５０に係合する。従って、上部筐体４１と下部筐体４２とが一体化される。
【００３３】
図８に示すように、左側面４５は前後方向に延びる略長方形の側面である。また、図９に示すように、右側面４６も前後方向に延びる略長方形の側面である。また、図１０に示すように、背面４８は、左右方向に長い樽型であり、切り欠き部４３５が開口している。また、図１１に示すように、前面４７は、左右方向に長い樽型である。
【００３４】
＜ＩＣチップホルダ４０の着脱＞
上記構成を有するＩＣチップホルダ４０のチップライタ２０への着脱について説明する。タンク７の何れかのインクの残量が少なくなると、操作部１４にインクの補充を促す表示が行われる。使用者は対応する色のインクが収容されたインク収容容器（図示略）を準備する。この時に、インク収容容器に個別にＩＣチップホルダ４０が添付されている。ＩＣチップホルダ４０のＩＣチップ７０には、予めインクの色の情報が記憶されている。使用者は該ＩＣチップホルダ４０をチップライタ２０の開口２１Ａに挿入する。ＩＣチップホルダ４０の突起６２は傾斜しており、突起６２の挿入先頭側の端部は、係止部２０Ｂの下面よりも下側になるように構成されている。ＩＣチップホルダ４０の突起６２が係止部２０Ｂの下面に沿って下降し、弾性変形部６０が弾性変形する。突起６２全体が２０Ｂの下面よりも下降して、突起６２が開口２１Ａを通過すると、図４に示すように、突起６２が係止部２０Ｂに係止される。もしくは、使用者は弾性変形部６０の第二突起６３を指で押圧して、弾性変形部６０を下方に弾性変形させ、突起６２が開口２１Ａを通過させる。使用者は、ＩＣチップホルダ４０をチップライタ２０の開口２１Ａに挿入後、第二突起６３の押圧を解除すると、図４に示すように、突起６２が係止部２０Ｂに係止される。次いで、使用者は、インクを補充するタンク７のインクの注ぎ口の蓋を外して、インク収容容器からインクを補充する。インクが補充されたタンク７のインク残量センサからのインクの残量情報が、チップライタ２０によりＩＣチップホルダ４０のＩＣチップ７０に書き込まれる。その後、使用者がチップライタ２０からＩＣチップホルダ４０を取り外す場合には、第二突起６３を押圧して、突起６２を係止部２０Ｂの係止を解除すると、ねじりばね２６の付勢力により、ＩＣチップホルダ４０がチップライタ２０から押し出される。
【００３５】
以上説明したように、本実施形態のＩＣチップホルダ４０では、上部筐体４１は、ＩＣチップ７０の電気接点７１，７２，７３側において、上部筐体４１の内側へ向かって弾性変形可能な弾性変形部６０を備えている。従って、弾性変形部６０の突起６２が上部筐体４１の内側へ向かって弾性変形するので、ＩＣチップホルダ４０の落下時や他の物品へ衝突した場合に、弾性変形部６０が撓んで衝撃を緩和できる。従って、ＩＣチップ７０が破損する可能性を低減できる。
【００３６】
また、上部筐体４１は、ＩＣチップ７０が載置された側の表面４３と、弾性変形部６０に設けられた突起６２とを備え、突起６２が、上部筐体４１の表面４３よりも外側に突出している。従って、弾性変形部６０の突起６２が上部筐体４１の表面よりも先に他の物品に当接するので、ＩＣチップホルダ４０の落下時や他の物品へ衝突した場合に、弾性変形部６０が撓んで衝撃を緩和できる。従って、ＩＣチップ７０が破損する可能性を低減できる。
【００３７】
また、電気接点７１〜７３よりも上部筐体４１の中央側に突起６２が配置されているので、この場合、突起６２がＩＣチップホルダ４０の重心近くに配置でき、ＩＣチップホルダ４０の落下時や他の物品へ衝突した場合に、衝撃を緩和できる。
【００３８】
また、弾性変形部６０は、上部筐体４１に片持ちで支持される基部６１を備え、基部６１は、上部筐体４１の表面４３よりも内側に位置している。従って、弾性変形部６０の基部６１は表面４３よりも内側に位置するので、片持ちの弾性変形部６０の基部６１が衝撃を受ける可能性を低減することができる。従って、弾性変形部６０の基部６１が上部筐体４１の表面４３と同じ高さの場合に比べて、弾性変形部６０の弾性変形が正常に機能する可能性を維持できる。
【００３９】
また、基部６１の周囲の表面４３は、面部であるので、該面部により、弾性変形部６０の基部６１への衝撃を緩和することができる。
【００４０】
また、基部６１には、表面４３と段差が設けられている。該段差を有する基部６１の表面に指がかけられて弾性変形部６０が弾性変形させられることにより、ＩＣチップ７０の電気接点７１〜７３に指が触れる可能性を低減できる。
【００４１】
また、弾性変形部６０において、突起６２と基部６１との間に、突起６２と同方向に突出する第二突起６３が設けられている。従って、第二突起６３に指がかけられて弾性変形部６０が弾性変形させられることにより、ＩＣチップ７０の電気接点７１〜７３に指が触れる可能性を低減できる。
【００４２】
また、上部筐体４１は、複数の部品から構成され、上部筐体４１を構成する１つの部品が、弾性変形部を備えた一体の部品である。従って、弾性変形部６０を上部筐体４１に別体で設ける場合に比べて、弾性変形部６０の固定忘れ等防止できる。
【００４３】
また、弾性変形部６０より内側に空間４３６が設けられ、空間４３６の少なくとも一部が、表面４３に囲まれている。従って、弾性変形部６０が弾性変形する空間４３６に弾性変形を妨げる異物が侵入する可能性を低減できる。
【００４４】
また、上部筐体４１の表面４３より低い位置に、ＩＣチップ７０の電気接点７１〜７３が設けられている。従って、ＩＣチップ７０の電気接点７１〜７３に指が触れる可能性を低減できる。
【００４５】
また、ＩＣチップ７０が配置された側において、上部筐体４１の表面４３よりも弾性変形部６０の突起６２が最も上部筐体４１の外周方向に突出している。従って、弾性変形部６０の突起６２が上部筐体４１の表面４３よりも先に他の物品に当接するので、ＩＣチップホルダ４０の落下時や他の物品へ衝突した場合に、弾性変形部６０が撓んで衝撃を緩和できる。従って、ＩＣチップ７０が破損する可能性を低減できる。
【００４６】
また、上述のように衝撃が緩和されているので、ＩＣチップ７０がインクに関する情報を記憶していても、ＩＣチップ７０が破損してインクに関する情報を失う可能性を低減できる。また、ＩＣチップホルダ４０は、プリンタ１に着脱可能であるので、ＩＣチップホルダ４０をプリンタ１に着脱する際に落下しても、ＩＣチップ７０が破損する可能性を低減できる。なお、上部筐体４１が本発明の「筐体」の一例である。
【００４７】
なお、本発明は上記の実施形態に限定されるものではなく、本発明の要旨を逸脱しない範囲内において種々の変更が可能である。例えば、図１６に示すように、弾性変形部６０の基部６１の前側の端部６１Ａが上部筐体４１の表面４３より上方（外側）に突出し、突起６２が上部筐体４１の表面４３よりも低くなっていてもよい。この場合には、ＩＣチップホルダ４０の落下時や他の物品へ衝突した場合に、端部６１Ａが当接して弾性変形部６０が撓んで衝撃を緩和できる。従って、ＩＣチップ７０が破損する可能性を低減できる。更には、ＩＣチップ７０に記憶されたインクに関する情報を失う可能性が低減できる。また、チップライタ２０は、ＩＣチップホルダ４０のＩＣチップ７０への情報の書き込みのみならず、ＩＣチップ７０からの情報を読み出す機能も備えたリーダ・ライタでもよい。
【符号の説明】
【００４８】
１  プリンタ
２  本体部
３  タンク装着ユニット
４  筐体
７  タンク
２０  チップライタ
４０  ＩＣチップホルダ
４１  上部筐体
４２  下部筐体
４３  表面
４４  底面
４５  左側面
４６  右側面
４７  前面
４８  背面
６０  弾性変形部
６１  基部
６１Ａ端部
６２  突起
６３  第二突起
７０  ＩＣチップ
７１  電気接点
７２  電気接点
７３  電気接点
４３５  切り欠き部
４３６  空間
【図１】
2020123288.tif 000003
【図２】
2020123288.tif 000004
【図３】
2020123288.tif 000005
【図４】
2020123288.tif 000006
【図５】
2020123288.tif 000007
【図６】
2020123288.tif 000008
【図７】
2020123288.tif 000009
【図８】
2020123288.tif 000010
【図９】
2020123288.tif 000011
【図１０】
2020123288.tif 000012
【図１１】
2020123288.tif 000013
【図１２】
2020123288.tif 000014
【図１３】
2020123288.tif 000015
【図１４】
2020123288.tif 000016
【図１５】
2020123288.tif 000017
【図１６】
2020123288.tif 000018